(57)【要約】【課題】打設高さを確実に測定することを可能にする水中不分離性コンクリート／モルタルの打設高さ測定方法を提供する。【解決手段】水２に沈み、水中不分離性コンクリート又は水中不分離性モルタル３に浮くオモリ４を線材１の先端に取り付け、水中不分離性コンクリート又は水中不分離性モルタル３を打設する水中の所定位置にオモリ４を配置した状態で水中不分離性コンクリート又は水中不分離性モルタル３を打設し、線材１の長さを捉えることで水中不分離性コンクリート又は水中不分離性モルタル３の打設高さを測定するようにした。【選択図】図１
2017150165.tif 000002
【特許請求の範囲】
【請求項１】
水中不分離性コンクリート又は水中不分離性モルタルを水中打設するにあたり、その打設高さを測定する方法であって、
水に沈み、水中不分離性コンクリート又は水中不分離性モルタルに浮くオモリを線材の先端に取り付け、
水中不分離性コンクリート又は水中不分離性モルタルを打設する水中の所定位置に前記オモリを配置した状態で水中不分離性コンクリート又は水中不分離性モルタルを打設し、前記線材の長さを捉えることで水中不分離性コンクリート又は水中不分離性モルタルの打設高さを測定するようにしたことを特徴とする水中不分離性コンクリート／モルタルの打設高さ測定方法。
【発明の詳細な説明】
【技術分野】
【０００１】
本発明は、水中不分離性コンクリート又は水中不分離性モルタルを水中打設するにあたり、その打設高さを測定する方法に関する。
【背景技術】
【０００２】
従来、コンクリートやモルタルを用いて水中に構造物を構築する際には、水中不分離性混和剤を添加し、水中で分離せず、均質に打設することができ、強度低下を招くことがない水中不分離性コンクリートや水中不分離性モルタル（水中不分離性材料）が多用されている。
【０００３】
一方、このような水中施工では、濁った水中や、人が近づくことができない状況でコンクリートやモルタルを打設するケースが多々あるが、このような場合であっても、当然、打設高さを測定し施工管理を行う必要がある（例えば、特許文献１参照）。
【０００４】
そして、従来、打設高さを測定する方法として、魚群探知機のように超音波を使って施工中、随時、水中のコンクリートやモルタルを捉え、打設高さの変化を捉える方法が多用されている。
【先行技術文献】
【特許文献】
【０００５】
【特許文献１】特開２００９−８３３５３号公報
【発明の概要】
【発明が解決しようとする課題】
【０００６】
しかしながら、従来の超音波を用いた水中不分離性コンクリート／モルタルの打設高さ測定方法は、水深が浅い場合など、水中不分離性コンクリート／モルタルの天端と水面との距離が超音波による測定方法の限界値を下回ってしまうと、適用できないという問題があった。
【０００７】
本発明は、上記事情に鑑み、打設高さを確実に測定することを可能にする水中不分離性コンクリート／モルタルの打設高さ測定方法を提供することを目的とする。
【課題を解決するための手段】
【０００８】
上記の目的を達するために、この発明は以下の手段を提供している。
【０００９】
本発明の水中不分離性コンクリート／モルタルの打設高さ測定方法は、水中不分離性コンクリート又は水中不分離性モルタルを水中打設するにあたり、その打設高さを測定する方法であって、水に沈み、水中不分離性コンクリート又は水中不分離性モルタルに浮くオモリを線材の先端に取り付け、水中不分離性コンクリート又は水中不分離性モルタルを打設する水中の所定位置に前記オモリを配置した状態で水中不分離性コンクリート又は水中不分離性モルタルを打設し、前記線材の長さを捉えることで水中不分離性コンクリート又は水中不分離性モルタルの打設高さを測定するようにしたことを特徴とする。
【発明の効果】
【００１０】
本発明の水中不分離性コンクリート／モルタルの打設高さ測定方法においては、水深が浅い場合などであっても、水中不分離性コンクリート又は水中不分離性モルタルを打設する時の打設高さを確実に測定することができる。また、濁水中への打設施工であっても、線材の長さで、やはり打設高さの変化を把握することができ、確実に打設高さを測定することができる。
【００１１】
よって、濁った水中や、人が近づくことができない状況でコンクリートやモルタルを打設するケースであっても、好適に打設高さを測定し施工管理を行うことが可能になる。
【図面の簡単な説明】
【００１２】
【図１】本発明の一実施形態に係る水中不分離性コンクリート／モルタルの打設高さ測定方法を示す図である。
【発明を実施するための形態】
【００１３】
以下、図１を参照し、本発明の一実施形態に係る水中不分離性コンクリート／モルタルの打設高さ測定方法について説明する。
【００１４】
ここで、本実施形態は、例えば濁った水中や、人が近づくことができない状況で水中不分離性コンクリート又は水中不分離性モルタルを打設するにあたり、好適に打設高さを測定し施工管理を行うことを可能にする方法に関するものである。
【００１５】
本実施形態の水中不分離性コンクリート／モルタルの打設高さ測定方法においては、水中不分離性コンクリート／モルタルの打設高さ測定装置を用いる。
【００１６】
本実施形態の水中不分離性コンクリート／モルタルの打設高さ測定装置Ａは、図１に示すように、水などに接触しても伸縮しない（伸縮量が非常に小さい）糸などのフレキシブルな線材１の先端に、水２よりも密度（単位容積質量、比重）が大きく、水中不分離性コンクリート／モルタル３よりも密度（単位容積質量、比重）が小さいオモリ４を接続して構成されている。
【００１７】
すなわち、オモリ４には、水２に沈むが水中不分離性コンクリート／モルタル３に浮くものが用いられている。
【００１８】
さらに、本実施形態の水中不分離性コンクリート／モルタルの打設高さ測定装置Ａは、線材１が巻き回され、正逆回転駆動によって線材１を巻き取り／繰り出しするドラム５と、ドラム５から繰り出された線材１が巻き掛けられ、ドラム５との間で線材１を直線状に伸びた状態で保持するとともにドラム５から繰り出された線材１の長さ（巻き取られた線材の長さ）を計測するための線材長さ計測器６と、線材長さ計測器６から送り出された線材１が巻き掛けられ、オモリ４との間、及び線材長さ計測器６との間の線材１を直線状に伸びた状態で保持するための滑車７とを備えている。
【００１９】
ドラム５は、線材１の張力を計測、すなわち先端のオモリ４の重さを検知するオモリ重量検知手段８により、線材１の巻き取り時に、オモリ４の重さを検知するとともに巻き取りが停止あるいは空転してそれ以上線材１を巻き取ることがなく、オモリ４の重さが検知されなくなると巻き取りを再開するように、その駆動が制御されている。
【００２０】
線材長さ計測器６は、例えば回転自在に軸支され、線材が巻き掛けられたスプールを備え、線材１の送り出し／巻き取り量に応じてスプールが正逆回転し、その回転数（回転量）を捉えることにより線材１の送り出し／巻き取り量を計測できるように構成されている。なお、線材長さ計測器６は、線材１の送り出し／巻き取り量を計測することが可能であれば、特にその構成を限定する必要はない。
【００２１】
そして、本実施形態の水中不分離性コンクリート／モルタルの打設高さ測定方法では、オモリ４を水中の所定の打設位置に配置した状態で水中不分離性コンクリート／モルタル３の水中打設を行う。また、本実施形態では、水中の所定の打設位置に、例えばメッシュなど、水中不分離性コンクリート／モルタル３が内部に流入可能な筒状の部材９を軸線を上下方向に向けて配置し、この筒状の部材９の内部にオモリ４を配置する。
【００２２】
この状態で水中不分離性コンクリート／モルタル３を水中打設すると、オモリ４が水２に沈むが水中不分離性コンクリート／モルタル３に浮くため、水中不分離性コンクリート／モルタル３に押し上げられ、常時、水中不分離性コンクリート／モルタル３の天端３ａ位置（水中不分離性コンクリート／モルタル３と水２の界面位置）にオモリ４が配されることになる。
【００２３】
また、オモリ４が押し上げられると、水中で線材１が直線状に延びるように、すなわち、線材１のたるみをなくすようにドラム５によって巻き取られる。そして、このとき、線材長さ計測器６で繰り出された（巻き取られた）線材１の量が計測されるため、線材１の長さから水中不分離性コンクリート／モルタル３の打設高さを求めることができる。
【００２４】
したがって、本実施形態の水中不分離性コンクリート／モルタルの打設高さ測定方法によれば、水深が浅い場合などであっても、線材１の長さを捉えることで、水中不分離性コンクリート又は水中不分離性モルタル３を打設する時の打設高さを確実に測定することができる。また、濁水中への打設施工であっても、線材１の長さで、やはり打設高さの変化を把握することができ、確実に打設高さを測定することができる。
【００２５】
以上、本発明に係る水中不分離性コンクリート／モルタルの打設高さ測定方法の一実施形態について説明したが、本発明は上記の一実施形態に限定されるものではなく、その趣旨を逸脱しない範囲で適宜変更可能である。
【符号の説明】
【００２６】
１    線材
２    水
３    水中不分離性コンクリート又は水中不分離性モルタル
４    オモリ
５    ドラム
６    線材長さ計測器
７    滑車
８    オモリ重量検知手段
９    筒状の部材
Ａ    水中不分離性コンクリート／モルタルの打設高さ測定装置
【図１】
2017150165.tif 000003